(57)【要約】【課題】買い物をしたとき特典サービスとして獲得するポイントで携帯電話端末の通信料金を割り引きできない。【解決手段】ユーザー１が携帯するユーザー携帯電話端末１０と加盟店２の加盟店受信端末２０および加盟店顧客データベース２１を制御する加盟店サーバ２２と移動体通信電話会社３の移動体通信電話会社顧客データベース３１を制御する移動体通信電話会社サーバ３０とがインターネット１００を介して接続され商品購入時加盟店受信端末にユーザーデータを送信し加盟店舗側でユーザーの商品購入に見合ったポイント換算を行いポイント集計し加盟店がポイントに応じた金額を移動体通信電話会社３に支払い移動体通信電話会社は各加盟店からの情報を元に各ユーザー毎の毎月の獲得ポイントを集計しポイントに応じた金額をユーザーの通信料金から差し引いてユーザーに通信料金を請求する。【選択図】      図１
2005050154.tif 000002
【特許請求の範囲】
【請求項１】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求することを特徴とする携帯電話利用における商品購入時の獲得ポイントによる携帯電話料金割り引きビジネスシステム。
【請求項２】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末が内蔵している赤外線通信機能を使い加盟店の加盟店受信端末が内蔵している赤外線通信機能と交信し、加盟店受信端末にユーザーの認証データを送信し、通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項３】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末が内蔵している赤外線通信機能を使い加盟店の加盟店受信端末が内蔵している赤外線通信機能と交信し、加盟店受信端末にユーザーの認証データを送信し、通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項４】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末のディスプレイ部に自分の認証データを表示し、加盟店受信端末を操作している加盟店のオペレータに見せ、オペレータが加盟店受信端末に手動で通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項５】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末のディスプレイ部に自分の認証データを表示し、加盟店受信端末を操作している加盟店のオペレータに見せ、オペレータが加盟店受信端末に手動で通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項６】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末が内蔵している赤外線通信機能を使い加盟店の加盟店受信端末が内蔵している赤外線通信機能と交信し、加盟店受信端末にユーザーの電話番号を送信し、通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項７】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末が内蔵している赤外線通信機能を使い加盟店の加盟店受信端末が内蔵している赤外線通信機能と交信し、加盟店受信端末にユーザーの電話番号を送信し、通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項８】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末のディスプレイ部に自分の電話番号を表示し、加盟店受信端末を操作している加盟店のオペレータに見せ、オペレータが加盟店受信端末に手動で通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項９】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末のディスプレイ部に自分の電話番号を表示し、加盟店受信端末を操作している加盟店のオペレータに見せ、オペレータが加盟店受信端末に手動で通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項１０】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末が内蔵している赤外線通信機能を使い加盟店の加盟店受信端末が内蔵している赤外線通信機能と交信し、加盟店受信端末にユーザーのＥメールアドレスを送信し、通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項１１】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末が内蔵している赤外線通信機能を使い加盟店の加盟店受信端末が内蔵している赤外線通信機能と交信し、加盟店受信端末にユーザーのＥメールアドレスを送信し、通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項１２】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末のディスプレイ部に自分のＥメールアドレスを表示し、加盟店受信端末を操作している加盟店のオペレータに見せ、オペレータが加盟店受信端末に手動で通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項１３】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末のディスプレイ部に自分のＥメールアドレスを表示し、加盟店受信端末を操作している加盟店のオペレータに見せ、オペレータが加盟店受信端末に手動で通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き方法。
【請求項１４】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末が内蔵している赤外線通信機能を使い加盟店の加盟店受信端末が内蔵している赤外線通信機能と交信し、加盟店受信端末にユーザーの認証データを送信し、通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項１５】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末が内蔵している赤外線通信機能を使い加盟店の加盟店受信端末が内蔵している赤外線通信機能と交信し、加盟店受信端末にユーザーの認証データを送信し、通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項１６】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末のディスプレイ部に自分の認証データを表示し、加盟店受信端末を操作している加盟店のオペレータに見せ、オペレータが加盟店受信端末に手動で通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項１７】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末のディスプレイ部に自分の認証データを表示し、加盟店受信端末を操作している加盟店のオペレータに見せ、オペレータが加盟店受信端末に手動で通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項１８】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末が内蔵している赤外線通信機能を使い加盟店の加盟店受信端末が内蔵している赤外線通信機能と交信し、加盟店受信端末にユーザーの電話番号を送信し、通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項１９】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末が内蔵している赤外線通信機能を使い加盟店の加盟店受信端末が内蔵している赤外線通信機能と交信し、加盟店受信端末にユーザーの電話番号を送信し、通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項２０】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末のディスプレイ部に自分の電話番号を表示し、加盟店受信端末を操作している加盟店のオペレータに見せ、オペレータが加盟店受信端末に手動で通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項２１】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末のディスプレイ部に自分の電話番号を表示し、加盟店受信端末を操作している加盟店のオペレータに見せ、オペレータが加盟店受信端末に手動で通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項２２】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末が内蔵している赤外線通信機能を使い加盟店の加盟店受信端末が内蔵している赤外線通信機能と交信し、加盟店受信端末にユーザーのＥメールアドレスを送信し、通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項２３】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末が内蔵している赤外線通信機能を使い加盟店の加盟店受信端末が内蔵している赤外線通信機能と交信し、加盟店受信端末にユーザーのＥメールアドレスを送信し、通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項２４】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末のディスプレイ部に自分のＥメールアドレスを表示し、加盟店受信端末を操作している加盟店のオペレータに見せ、オペレータが加盟店受信端末に手動で通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項２５】
加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末のディスプレイ部に自分のＥメールアドレスを表示し、加盟店受信端末を操作している加盟店のオペレータに見せ、オペレータが加盟店受信端末に手動で通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求することを特徴とする携帯電話利用における商品購入時の獲得ポイントによる携帯電話料金割り引き処理をコンピュータに実行させるためのプログラム。
【請求項２６】
通信料金割り引きサービスのユーザー認証用としてユーザーの認証データを加盟店および移動体通信電話会社に予め登録されるユーザー認証用のユーザーの認証データを電話番号およびＥメールアドレスとすることを特徴とする請求項２、３、４、５記載の携帯電話利用における商品購入時の獲得ポイントによる携帯電話料金割り引き方法。
【請求項２７】
通信料金割り引きサービスのユーザー認証用としてユーザーの認証データを加盟店および移動体通信電話会社に予め登録されるユーザー認証用のユーザーの認証データを電話番号およびＥメールアドレスとすることを特徴とする請求項１４、１５、１６、１７記載の携帯電話利用における商品購入時の獲得ポイントによる携帯電話料金割り引き処理をコンピュータに実行させるためのプログラム。
【請求項２８】
加盟店は加盟店顧客データベースの販売履歴からメールおよびＷＥＢにてユーザーに情報の提供を行うことを特徴とする請求項１記載の携帯電話利用における商品購入時の獲得ポイントによる携帯電話料金割り引きビジネスシステム。
【請求項２９】
加盟店は加盟店顧客データベースの販売履歴からメールおよびＷＥＢにてユーザーに情報の提供を行うことを特徴とする請求項２から１３および２６記載の携帯電話利用における商品購入時の獲得ポイントによる携帯電話料金割り引き方法。
【請求項３０】
加盟店は加盟店顧客データベースの販売履歴からメールおよびＷＥＢにてユーザーに情報の提供を行うことを特徴とする請求項１４から２５および２７記載の携帯電話利用における商品購入時の獲得ポイントによる携帯電話料金割り引き処理をコンピュータに実行させるためのプログラム。
【請求項３１】
移動体通信電話会社は移動体通信電話会社顧客データベースのユーザー情報からメールおよびＷＥＢにてユーザーに情報の提供を行うことを特徴とする請求項１記載の携帯電話利用における商品購入時の獲得ポイントによる携帯電話料金割り引きビジネスシステム。
【請求項３２】
移動体通信電話会社は移動体通信電話会社顧客データベースのユーザー情報からメールおよびＷＥＢにてユーザーに情報の提供を行うことを特徴とする請求項２から１３および２６記載の携帯電話利用における商品購入時の獲得ポイントによる携帯電話料金割り引き方法。
【請求項３３】
移動体通信電話会社は移動体通信電話会社顧客データベースのユーザー情報からメールおよびＷＥＢにてユーザーに情報の提供を行うことを特徴とする請求項１４から２５および２７記載の携帯電話利用における商品購入時の獲得ポイントによる携帯電話料金割り引き処理をコンピュータに実行させるためのプログラム。
【発明の詳細な説明】
【技術分野】
【０００１】
本発明は携帯電話利用における商品購入時の獲得ポイントによる携帯電話料金割り引きビジネスシステムと方法およびプログラムに関し、特にユーザーが店で商品を購入した際、店舗側でポイント換算し集計し、ポイントに応じた金額を移動体通信電話会社に支払い、移動体通信電話会社は各店からの情報を元に各ユーザー毎の毎月獲得ポイントを集計し、ポイントの応じた金額をユーザーの通信料金から差し引いて請求する携帯電話利用における商品購入時の獲得ポイントによる携帯電話料金割り引きビジネスシステムと方法およびプログラムに関する。
【背景技術】
【０００２】
従来の商品購入時の獲得ポイントによる割り引きサービスは、図３の従来の商品購入時の獲得ポイントによる割り引きビジネスシステムを示すブロック図に示すように、
・若年層を中心にユーザー１が携帯するユーザー携帯電話端末１０がコミュニケーションツールとし普及し、電話、メールやweb 観閲等などで毎月の携帯通信料金がお小遣いの大部分を費やし、欲しい音楽ＣＤ、本、洋服等欲しいものが購入できないないない。
【０００３】
・ＣＤショップ等の加盟店２はメインターゲットの若年層が上記の様な問題からＣＤの買い控えがおきているために、売上減となっている。
【０００４】
また、CD-R等を利用した違法複製やネットでのＭＰ３等のファイル交換も売上減の要因となっている。
【０００５】
・移動体通信電話会社３も同業他社が勢力を伸ばしている中、魅力あるサービス、低価格化を求められている。
【０００６】
従来の商品購入時の獲得ポイントによる割り引きサービスについて図３により説明する。
【０００７】
ユーザー１に商品を販売する加盟店２は、ユーザー１が加盟店２で商品を購入した時（図３の内容を示す内容Ｃ１のように販売価格￥３０００のＣＤを購入する）、特典サービスとしてユーザー１の商品購入に見合ったポイント換算を行い、加盟店２がユーザー１の獲得ポイントに応じた金額の商品と交換することができるようなサービス提供を実施する（図３の内容を示す内容Ｃ８のように販売価格￥３０００のＣＤを購入した場合６ポイントを獲得する。）。
【０００８】
ユーザー１は加盟店２から提供されたポイントカード１１に買い物の都度加盟店受信端末２０で獲得ポイントを記録してもらう。加盟店２は加盟店顧客データベース２１にユーザー１の販売履歴情報を記録する。
【０００９】
ユーザー１は獲得ポイントが貯まりユーザー１が欲しい商品と交換できる獲得ポイントなったときその欲しい商品と交換する（図３の内容を示す内容Ｃ８のように獲得ポイントが１００ポイントになったので販売価格￥３０００のＣＤと交換できる。）。
【００１０】
獲得ポイントは指定された加盟店２でしかも特定の条件のもとでしか使用できなく不便である。
【００１１】
このような状況下のもとで、
・若年層を中心にユーザー１が携帯するユーザー携帯電話端末１０がコミュニケーションツールとし普及し、電話、メールやweb 観閲等などで毎月の携帯通信料金がお小遣いの大部分を費やし、欲しい音楽ＣＤ、本、洋服等欲しいものが購入できないないない。
【００１２】
移動体通信電話会社３は、ユーザー１のユーザー携帯電話端末１０の通話にかかった通信料金は移動体通信電話会社顧客データベース３１に累計記録されており、通信料金は格月々の決済時期に移動体通信電話会社サーバ３０からインターネット等を介してユーザー携帯電話端末１０に請求される。
【００１３】
以上のように、ユーザー１が加盟店２で買い物をし獲得ポイントを得ても、ユーザー１のユーザー携帯電話端末１０の通話にかかった通信料金は移動体通信電話会社３から関係なく請求され、毎月の携帯通信料金がお小遣いの大部分を費やし、欲しい音楽ＣＤ、本、洋服等欲しいものが購入できないないの現状である。
【００１４】
従来の技術として、特開２００１−２１６４５１号公報がある（特許文献１参照。）。
【００１５】
これは、紙の用紙を持ち歩くことなくクーポンや支払いの決済を可能にするもので、クーポンや支払い等の購買情報や決済結果としての利用ログを管理し、ユーザの持つ端末装置との間でこれらを授受する情報配信装置と、ユーザの持つ端末装置と交信して購買情報を受け取り、購買情報を利用したサービスを実施し、その利用ログをユーザの持つ端末装置に返す販売装置と云う組み合わせによる三者の連携により、紙の媒体を持ち歩かずに電子的なデータの授受によりクーポン利用や払込などのサービスを提供し、利用できるようにした。
【００１６】
また、従来技術として、特開２００１−２７３５６３号公報がある（特許文献２参照。）。
【００１７】
これは、クーポン券、スタンプ類、カード類を顧客に手渡すことなく、購入ポイント制度を実施して、商品またはサービスの販売促進を図ることができる携帯端末を用いた購入ポイント管理システムで、この購入ポイント管理システムは、顧客が商品またはサービスを購入した際に得た購入ポイントを、顧客の携帯端末、販売業者の端末、及びインターネットに接続されたサーバを用いて管理するシステムであり、商品またはサービスの購入の際に顧客に与えられる購入ポイントのポイント数を顧客及び販売業者の情報と共にデータベース化して管理するサーバと、顧客が商品またはサービスの購入の際に携帯する携帯端末と、販売業者の店舗等に設置された店舗端末と、を備え、インターネットを介してサーバと携帯端末間、及びサーバと店舗端末間で情報の伝達を行なうものである。
【００１８】
また、従来技術として、特開２００１−３２５５０８号公報がある（特許文献３参照。）。
【００１９】
これは、販売促進とユーザの利益とを同時に実現させるもので、ポイントを発行・管理するポイント運営機構装置に販売ポイント提供機構装置とサービス提供機構装置とが接続されており、販売ポイント提供機構装置がユーザ装置にポイントを提供し、ユーザ装置がポイントを用いてサービスの提供を申し込む。これにより、サービス／物品の購入時にその販売会社の販売ポイント提供機構装置がポイントをユーザ装置に提供し、ユーザがユーザ装置内のポイントを使って所望のサービスの提供を受けることができるものである。
【００２０】
また、従来技術として、特開２００２−３１２５８２号公報がある（特許文献４参照。）。
【００２１】
これは、携帯電話等の携帯情報端末によって書面の電子交付を受けることによる顧客の利益を高め、集客力の向上と書面の電子交付の普及を促進可能な電子書面交付システム等を提供するもので、電子書面交付装置は、証券取引に伴って顧客へ交付すべき取引報告書等の書面をインターネットおよび電話会社を通じて携帯電話に電子交付したとき、その顧客に割引ポイントを付与しこれを累積記憶する。決済装置は、携帯電話の電話料金を決済するとき、電子書面交付装置に割引ポイント数を問い合せ、割引ポイント数に応じた額を証券会社の口座から電話会社の口座に振り込み、その分を割り引いた残額を顧客の口座から電話会社の口座へ振り込むものである。
【００２２】
また、従来技術として、特開２００３−１６３４８号公報がある（特許文献５参照。）。
【００２３】
これは、広告コンテンツを配信したい企業・店舗の所在地に、ＧＰＳ付き携帯電話を所有するユーザーが移動した場合、所在地の登録に該当する広告コンテンツをＧＰＳ付き携帯電話に配信し、また、この配信に対して通話料金の割引を行うことで、きめ細かく効果的な広告宣伝と集客を実現する広告配信方法に関する技術を提供するもので、本広告配信方法を実施する構成は、アナウンス登録装置（広告コンテンツ登録手段）を有する電話交換機と、無線基地局と、ＧＰＳ付き携帯電話と、ＧＰＳ付き携帯電話の位置情報を受信するサーバ（データベース保持手段）と、ＧＰＳ衛星とで概略構成され、無線カバーエリア内の地域を対象とした携帯電話の通話料金割引サービスを行うものである。
【００２４】
【特許文献１】特開２００１−２１６４５１号公報（［要約］）
【００２５】
【特許文献２】特開２００１−２７３５６３号公報（［要約］）
【特許文献３】特開２００１−３２５５０８号公報（［要約］）
【特許文献４】特開２００２−３１２５８２号公報（［要約］）
【特許文献５】特開２００３−１６３４８号公報（［要約］）
【発明の開示】
【発明が解決しようとする課題】
【００２６】
上述した従来の商品購入時の獲得ポイントによる割り引きサービスは、
第１の問題点は、買い物をしたとき特典サービスとして獲得するポイントで携帯電話端末の通信料金を割り引きできない。
【００２７】
その理由は、従来技術の特許文献１から特許文献に示すように獲得するポイントにより携帯電話端末の通信料金を割り引くことは考慮されていなっかたからである。
【００２８】
第２の問題点は、限られた小遣いの中で携帯電話端末の通信料金の支払いと買い物との費用が負担になっている。
【００２９】
その理由は、買い物をしたとき特典サービスとして獲得するポイントが携帯電話端末の通信料金に反映されないからである。
【００３０】
第３の問題点は、携帯電話端末を所持していると、欲しいものが購入できない。
【００３１】
その理由は、費用の大部分が携帯電話端末の通信料金に費やされてしまうからである。
【００３２】
第４の問題点は、特典サービスとして獲得するポイントの利用が限定されてしまうことである。
【００３３】
その理由は、ある基準ポイントに達しないと商品と交換できない、またはその店でしか使えないからである。
（発明の目的）
本発明の目的は、ユーザーが加盟店で商品を購入した際、加盟店の受信端末にユーザーデータを送信し、加盟店でポイント換算し集計し、ポイントに応じた金額を移動体通信電話会社に支払い、移動体通信電話会社は各加盟店からの情報を元に各ユーザー毎の毎月の獲得ポイントを集計し、ポイントの応じた金額をユーザーの通信料金から差し引いて請求する携帯電話利用における商品購入時の獲得ポイントによる携帯電話料金割り引きビジネスシステムと方法およびプログラムを提供することにある。
【課題を解決するための手段】
【００３４】
第１の発明の携帯電話利用における商品購入時の獲得ポイントによる携帯電話料金割り引きビジネスシステムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する。
【００３５】
また、第２の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末が内蔵している赤外線通信機能を使い加盟店の加盟店受信端末が内蔵している赤外線通信機能と交信し、加盟店受信端末にユーザーの認証データを送信し、通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００３６】
また、第３の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末が内蔵している赤外線通信機能を使い加盟店の加盟店受信端末が内蔵している赤外線通信機能と交信し、加盟店受信端末にユーザーの認証データを送信し、通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００３７】
また、第４の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末のディスプレイ部に自分の認証データを表示し、加盟店受信端末を操作している加盟店のオペレータに見せ、オペレータが加盟店受信端末に手動で通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００３８】
また、第５の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末のディスプレイ部に自分の認証データを表示し、加盟店受信端末を操作している加盟店のオペレータに見せ、オペレータが加盟店受信端末に手動で通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００３９】
また、第６の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末が内蔵している赤外線通信機能を使い加盟店の加盟店受信端末が内蔵している赤外線通信機能と交信し、加盟店受信端末にユーザーの電話番号を送信し、通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００４０】
また、第７の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末が内蔵している赤外線通信機能を使い加盟店の加盟店受信端末が内蔵している赤外線通信機能と交信し、加盟店受信端末にユーザーの電話番号を送信し、通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００４１】
また、第８の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末のディスプレイ部に自分の電話番号を表示し、加盟店受信端末を操作している加盟店のオペレータに見せ、オペレータが加盟店受信端末に手動で通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００４２】
また、第９の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末のディスプレイ部に自分の電話番号を表示し、加盟店受信端末を操作している加盟店のオペレータに見せ、オペレータが加盟店受信端末に手動で通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００４３】
また、第１０の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末が内蔵している赤外線通信機能を使い加盟店の加盟店受信端末が内蔵している赤外線通信機能と交信し、加盟店受信端末にユーザーのＥメールアドレスを送信し、通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００４４】
また、第１１の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末が内蔵している赤外線通信機能を使い加盟店の加盟店受信端末が内蔵している赤外線通信機能と交信し、加盟店受信端末にユーザーのＥメールアドレスを送信し、通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００４５】
また、第１２の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末のディスプレイ部に自分のＥメールアドレスを表示し、加盟店受信端末を操作している加盟店のオペレータに見せ、オペレータが加盟店受信端末に手動で通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００４６】
また、第１３の発明の携帯電話利用における商品購入時の獲得ポイントによる携帯電話料金割り引き方法は、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き方法であって、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末のディスプレイ部に自分のＥメールアドレスを表示し、加盟店受信端末を操作している加盟店のオペレータに見せ、オペレータが加盟店受信端末に手動で通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する。
【００４７】
また、第１４の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末が内蔵している赤外線通信機能を使い加盟店の加盟店受信端末が内蔵している赤外線通信機能と交信し、加盟店受信端末にユーザーの認証データを送信し、通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００４８】
また、第１５の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末が内蔵している赤外線通信機能を使い加盟店の加盟店受信端末が内蔵している赤外線通信機能と交信し、加盟店受信端末にユーザーの認証データを送信し、通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００４９】
また、第１６の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末のディスプレイ部に自分の認証データを表示し、加盟店受信端末を操作している加盟店のオペレータに見せ、オペレータが加盟店受信端末に手動で通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５０】
また、第１７の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの認証データを加盟店および移動体通信電話会社に予め登録し、登録されるユーザー認証用のユーザーの認証データは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの認証データを、ユーザーが携帯しているユーザー携帯電話端末のディスプレイ部に自分の認証データを表示し、加盟店受信端末を操作している加盟店のオペレータに見せ、オペレータが加盟店受信端末に手動で通信料金割り引きサービスのユーザー認証用としてユーザーの認証データを加盟店受信端末に入力し、加盟店受信端末は、入力された認証データを受信すると、加盟店サーバの制御のもとに加盟店顧客データベースに入力された認証データをもとに加盟店の加盟店顧客データベースに予め格納されている通信料金割り引きサービスのユーザーの認証データと比較しユーザーの認証を行い、認証された場合は、認証データと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、認証データと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバから認証データと共に通信料金の割り引き額をインターネットを介して、移動体通信電話会社の移動体通信電話会社サーバに送信し、移動体通信電話会社の移動体通信電話会社サーバは、加盟店サーバから送信されてきた認証データと通信料金の割り引き額を受信し、移動体通信電話会社顧客データベースに格納し、移動体通信電話会社の移動体通信電話会社サーバは、加盟店サーバから送信されてきた認証データと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５１】
また、第１８の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末が内蔵している赤外線通信機能を使い加盟店の加盟店受信端末が内蔵している赤外線通信機能と交信し、加盟店受信端末にユーザーの電話番号を送信し、通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５２】
また、第１９の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末が内蔵している赤外線通信機能を使い加盟店の加盟店受信端末が内蔵している赤外線通信機能と交信し、加盟店受信端末にユーザーの電話番号を送信し、通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５３】
また、第２０の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末のディスプレイ部に自分の電話番号を表示し、加盟店受信端末を操作している加盟店のオペレータに見せ、オペレータが加盟店受信端末に手動で通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５４】
また、第２１の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーの電話番号を加盟店および移動体通信電話会社に予め登録し、登録されるユーザー認証用のユーザーの電話番号は、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーの電話番号を、ユーザーが携帯しているユーザー携帯電話端末のディスプレイ部に自分の電話番号を表示し、加盟店受信端末を操作している加盟店のオペレータに見せ、オペレータが加盟店受信端末に手動で通信料金割り引きサービスのユーザー認証用としてユーザーの電話番号を加盟店受信端末に入力し、加盟店受信端末は、入力された電話番号を受信すると、加盟店サーバの制御のもとに加盟店顧客データベースに入力された電話番号をもとに加盟店の加盟店顧客データベースに予め格納されている通信料金割り引きサービスのユーザーの電話番号と比較しユーザーの認証を行い、認証された場合は、電話番号と共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、電話番号と共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバから電話番号と共に通信料金の割り引き額をインターネットを介して、移動体通信電話会社の移動体通信電話会社サーバに送信し、移動体通信電話会社の移動体通信電話会社サーバは、加盟店サーバから送信されてきた電話番号と通信料金の割り引き額を受信し、移動体通信電話会社顧客データベースに格納し、移動体通信電話会社の移動体通信電話会社サーバは、加盟店サーバから送信されてきた電話番号と通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５５】
また、第２２の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末が内蔵している赤外線通信機能を使い加盟店の加盟店受信端末が内蔵している赤外線通信機能と交信し、加盟店受信端末にユーザーのＥメールアドレスを送信し、通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５６】
また、第２３の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末が内蔵している赤外線通信機能を使い加盟店の加盟店受信端末が内蔵している赤外線通信機能と交信し、加盟店受信端末にユーザーのＥメールアドレスを送信し、通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店の加盟店受信端末が内蔵している赤外線通信機能を使いユーザーが携帯しているユーザーのユーザー携帯電話端末が内蔵している赤外線通信機能と交信し、赤外線通で送信し、ユーザーの携帯するユーザー携帯電話端末のディスプレイに獲得ポイントに対応する通信料金の割り引き金額を表示しユーザーにその時の買い物における獲得ポイントを知らせ、ユーザーは加盟店で買い物をするたびに買い物額に応じた獲得ポイントがが加算され、ユーザー対応に加盟店顧客データベースに蓄積され、買い物する都度ユーザー毎の獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５７】
また、第２４の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末のディスプレイ部に自分のＥメールアドレスを表示し、加盟店受信端末を操作している加盟店のオペレータに見せ、オペレータが加盟店受信端末に手動で通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、加盟店は移動体通信電話会社のユーザー携帯電話端末の通信料金の決済時期に合わせ、ユーザー毎にその月の累計獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５８】
また、第２５の発明のプログラムは、加盟店で商品を購入するユーザーが携帯するユーザー携帯電話端末と、商品を販売する加盟店の商品購入時に決済機として使用されるレジスタ機能付きの加盟店受信端末および顧客の販売情報としてユーザーの加盟店での販売履歴に関する情報が格納されている加盟店顧客データベースを制御する加盟店サーバと、ユーザーがユーザー携帯電話端末の使用契約で加入している移動体通信電話会社のユーザーの情報が格納されている移動体通信電話会社顧客データベースを制御する移動体通信電話会社サーバとをインターネットを介して接続し、ユーザーに商品を販売する加盟店は、移動体通信電話会社と提携し、ユーザーが加盟店で商品を購入した時、特典サービスとしてユーザーの商品購入に見合ったポイント換算を行い、加盟店がユーザーの獲得ポイントに応じた金額を移動体通信電話会社に支払い、移動体通信電話会社は加盟店からの情報を元にユーザーの毎月の獲得ポイントを集計し、獲得ポイントに応じた金額をユーザーのユーザー携帯電話端末の通話にかかった通信料金から差し引いてユーザーにユーザー携帯電話端末の通話にかかった通信料金を請求する携帯電話利用における商品購入時の獲得ポイントによる携帯電話料金割り引きビジネスシステムの携帯電話利用における商品購入時の獲得ポイントによる携帯電話料金割り引き処理において、ユーザーはユーザー携帯電話端末の通話にかかった通信料金から差し引く割り引きサービスを行うにあたり、加盟店および移動体通信電話会社と契約し、通信料金割り引きサービスのユーザー認証用としてユーザーのＥメールアドレスを加盟店および移動体通信電話会社に予め登録し、登録されるユーザー認証用のユーザーのＥメールアドレスは、加盟店の加盟店サーバの制御のもとに加盟店顧客データベースおよび移動体通信電話会社の移動体通信電話会社サーバの制御のもとに移動体通信電話会社顧客データベースに格納し、サービス時のユーザー認証、獲得ポイントの検索、累積、集計、割り引きサービス実行、およびユーザーの情報の提供に使用し、ユーザーは加盟店で商品を買い、支払い精算のためレジスタ機能付きの加盟店受信端末で買い物の支払い精算を行い、ユーザーは通信料金割り引きサービスのユーザー認証用としてユーザーのＥメールアドレスを、ユーザーが携帯しているユーザー携帯電話端末のディスプレイ部に自分のＥメールアドレスを表示し、加盟店受信端末を操作している加盟店のオペレータに見せ、オペレータが加盟店受信端末に手動で通信料金割り引きサービスのユーザー認証用としてユーザーのＥメールアドレスを加盟店受信端末に入力し、加盟店受信端末は、入力されたＥメールアドレスを受信すると、加盟店サーバの制御のもとに加盟店顧客データベースに入力されたＥメールアドレスをもとに加盟店の加盟店顧客データベースに予め格納されている通信料金割り引きサービスのユーザーのＥメールアドレスと比較しユーザーの認証を行い、認証された場合は、Ｅメールアドレスと共に入力された買い物情報とそれに応じた獲得ポイントを加盟店顧客データベースにユーザー対応に格納し、認証されされない場合または通信料金割り引きサービスに未加入の場合は、新規に通信料金割り引きサービスに加入するかの確認後、加入希望の場合は、Ｅメールアドレスと共に入力された買い物情報とそれに応じた獲得ポイントを加盟店顧客データベースにユーザー対応に格納し、加盟店受信端末は、買い物情報とそれに応じた獲得ポイントを加盟店顧客データベースにユーザー対応に格納し、加盟店のオペレータが加盟店受信端末で支払い決済時獲得ポイントに対応する通信料金の割り引き金額を印刷しユーザーにその時の買い物における獲得ポイントを知らせ、ユーザーは加盟店で買い物をするたびに買い物額に応じた獲得ポイントが加算され、ユーザー対応に加盟店顧客データベースに蓄積され、買い物する都度ユーザー毎の獲得ポイントに見合う額を通信料金の割り引き額として、加盟店サーバからＥメールアドレスと共に通信料金の割り引き額をインターネットを介して、移動体通信電話会社の移動体通信電話会社サーバに送信し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社の移動体通信電話会社サーバは、加盟店サーバから送信されてきたＥメールアドレスと通信料金の割り引き額を受信し、移動体通信電話会社顧客データベースに格納し、移動体通信電話会社は、ユーザー携帯電話端末の通信料金の決済時期に合わせ、ユーザー毎にその月の獲得ポイントに見合う額を通信料金の割り引き額の累計を計算し、累計獲得ポイントに見合う額を通信料金の割り引き額として計上し、ユーザー携帯電話端末の通信料金のその月の合計通信料金から割り引き額を差し引き、ユーザーに請求する処理をコンピュータに実行させる。
【００５９】
また、第２６の発明の携帯電話利用における商品購入時の獲得ポイントによる携帯電話料金割り引き方法は、通信料金割り引きサービスのユーザー認証用としてユーザーの認証データを加盟店および移動体通信電話会社に予め登録されるユーザー認証用のユーザーの認証データを電話番号およびＥメールアドレスとすることを特徴とする請求項２、３、４、５記載の携帯電話利用における商品購入時の獲得ポイントによる携帯電話料金割り引き方法。
【００６０】
また、第２７の発明のプログラムは、通信料金割り引きサービスのユーザー認証用としてユーザーの認証データを加盟店および移動体通信電話会社に予め登録されるユーザー認証用のユーザーの認証データを電話番号およびＥメールアドレスとすることを特徴とする請求項１４、１５、１６、１７記載の携帯電話利用における商品購入時の獲得ポイントによる携帯電話料金割り引き処理をコンピュータに実行させるためのプログラム。
【００６１】
また、第２８の発明の携帯電話利用における商品購入時の獲得ポイントによる携帯電話料金割り引きビジネスシステムは、加盟店は加盟店顧客データベースの販売履歴からメールおよびＷＥＢにてユーザーに情報の提供を行うことを特徴とする請求項１記載の携帯電話利用における商品購入時の獲得ポイントによる携帯電話料金割り引きビジネスシステム。
【００６２】
また、第２９の発明の携帯電話利用における商品購入時の獲得ポイントによる携帯電話料金割り引き方法は、加盟店は加盟店顧客データベースの販売履歴からメールおよびＷＥＢにてユーザーに情報の提供を行うことを特徴とする請求項２から１３および２６記載の携帯電話利用における商品購入時の獲得ポイントによる携帯電話料金割り引き方法。
【００６３】
また、第３０の発明のプログラムは、加盟店は加盟店顧客データベースの販売履歴からメールおよびＷＥＢにてユーザーに情報の提供を行うことを特徴とする請求項１４から２５および２７記載の携帯電話利用における商品購入時の獲得ポイントによる携帯電話料金割り引き処理をコンピュータに実行させるためのプログラム。
【００６４】
また、第３１の発明の携帯電話利用における商品購入時の獲得ポイントによる携帯電話料金割り引きビジネスシステムは、移動体通信電話会社は移動体通信電話会社顧客データベースのユーザー情報からメールおよびＷＥＢにてユーザーに情報の提供を行うことを特徴とする請求項１記載の携帯電話利用における商品購入時の獲得ポイントによる携帯電話料金割り引きビジネスシステム。
【００６５】
また、第３２の発明の携帯電話利用における商品購入時の獲得ポイントによる携帯電話料金割り引き方法は移動体通信電話会社は移動体通信電話会社顧客データベースのユーザー情報からメールおよびＷＥＢにてユーザーに情報の提供を行うことを特徴とする請求項２から１３および２６記載の携帯電話利用における商品購入時の獲得ポイントによる携帯電話料金割り引き方法。
【００６６】
また、第３３の発明のプログラムは、移動体通信電話会社は移動体通信電話会社顧客データベースのユーザー情報からメールおよびＷＥＢにてユーザーに情報の提供を行うことを特徴とする請求項１４から２５および２７記載の携帯電話利用における商品購入時の獲得ポイントによる携帯電話料金割り引き処理をコンピュータに実行させるためのプログラム。
【発明の効果】
【００６７】
以上説明したように、本発明の携帯電話利用における商品購入時の獲得ポイントによる携帯電話料金割り引きビジネスシステムと方法およびプログラムは、
第１の効果は、ユーザーは買い物をすればするほど、毎月の通信料金が安くなることである。
【００６８】
その理由は、買い物をしたとき特典サービスとして獲得するポイントに応じた金額をユーザーの通信料金から差し引いてユーザーに通信料金として請求するようにするからである。
【００６９】
第２の効果は、加盟店は売上 集客力が増し、リピータ客増になる。
【００７０】
その理由は、販売履歴を元にユーザーの嗜好にあった情報を提供できるからである。
【００７１】
第３の効果は、移動体通信電話会社はユーザーの確保ができる。
【００７２】
その理由は、実質的な通信料金の値下げになるからである。
【発明を実施するための最良の形態】
【００７３】
本発明の特徴は、ユーザーが本発明の携帯電話利用における商品購入時の獲得ポイントによる携帯電話料金割り引きビジネスシステムの加盟店で商品を購入した際、ユーザーが携帯しているユーザー携帯電話端末が内蔵している赤外線通信機能を使い加盟店の加盟店受信端末が内蔵している赤外線通信機能と交信し、ユーザー認証を行い、加盟店舗側のレジスタ等の加盟店受信端末にユーザーデータを送信し、加盟店舗側でユーザーの商品購入に見合ったポイント換算を行い、ポイント集計し、加盟店がポイントに応じた金額を移動体通信電話会社に支払う。
【００７４】
移動体通信電話会社は各加盟店からの情報を元に各ユーザー毎の毎月の獲得ポイントを集計し、ポイントに応じた金額をユーザーの通信料金から差し引いてユーザーに通信料金を請求するようにするものである。
【００７５】
次に、本発明の第１の実施の形態について図面を参照して説明する。
【００７６】
図１は本発明の携帯電話利用における商品購入時の獲得ポイントによる携帯電話料金割り引きビジネスシステムと方法およびプログラムの一実施の形態を示すブロック図である。
【００７７】
本発明の第１の実施の形態は、図１に示すように、加盟店２で商品を購入するユーザー１が携帯するユーザー携帯電話端末１０と、商品を販売する加盟店２の商品購入時に決済機として使用されるレジスタ機能付きの加盟店受信端末２０および顧客の販売情報としてユーザー１の加盟店２での販売履歴等に関する情報が格納されている加盟店顧客データベース２１を制御する加盟店サーバ２２と、ユーザー１がユーザー携帯電話端末１０の使用契約で加入している移動体通信電話会社３のユーザーの情報が格納されている移動体通信電話会社顧客データベース３１を制御する移動体通信電話会社サーバ３０とがインターネット１００を介して接続されている。
【００７８】
ユーザー１に商品を販売する加盟店２は、移動体通信電話会社３と提携し、ユーザー１が加盟店２で商品を購入した時、特典サービスとしてユーザー１の商品購入に見合ったポイント換算を行い、加盟店２がユーザー１の獲得ポイントに応じた金額を移動体通信電話会社３に支払い、移動体通信電話会社３は加盟店２からの情報を元にユーザー１の毎月の獲得ポイントを集計し、獲得ポイントに応じた金額をユーザー１のユーザー携帯電話端末１０の通話にかかった通信料金から差し引いてユーザー１にユーザー携帯電話端末１０の通話にかかった通信料金を請求するようにする契約を結ぶ。
【００７９】
ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としての認証データとしてユーザー１のユーザー携帯電話端末１０の電話番号とインターネット１００で電子メールとして使用されるＥメールアドレスを加盟店２および移動体通信電話会社３に予め登録する。ユーザー認証用としての認証データとしてはユーザー携帯電話端末１０の電話番号や電子メールとして使用されるＥメールアドレスの他にユーザー１を特定できる住所や氏名等のユーザー１を特定できるものを使用してもよい。
【００８０】
登録されるユーザー認証用の認証データのユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行、およびユーザー１への情報の提供に使用される。
【００８１】
ユーザー１は加盟店２で商品を買い（実施の形態として図１の内容を示す内容Ｃ１のように例えば販売価格￥３０００のＣＤを購入する）、支払い精算のためレジスタ機能付きの加盟店受信端末２０で買い物の支払い精算を行う。
【００８２】
このとき、ユーザー１は通信料金割り引きサービスのユーザー認証用として認証データを加盟店受信端末２０に入力する。この入力手段は、ユーザー１が携帯しているユーザー携帯電話端末１０が内蔵している赤外線通信機能を使い加盟店２の加盟店受信端末２０が内蔵している赤外線通信機能と交信し、加盟店受信端末２０にユーザー１の認証データを送信して入力する。
【００８３】
加盟店受信端末２０は、入力された認証データを受信すると、加盟店サーバ２２の制御のもとに加盟店顧客データベース２１に入力された認証データをもとに加盟店２の加盟店顧客データベース２１に予め格納されている通信料金割り引きサービスのユーザー１の認証データと比較しユーザー１の認証を行う。
【００８４】
認証された場合は、認証データと共に入力された買い物情報とそれに応じた獲得ポイントを加盟店顧客データベース２１にユーザー１対応に格納する。
【００８５】
認証されされない場合または通信料金割り引きサービスに未加入の場合は、新規に通信料金割り引きサービスに加入するかの確認した後、加入希望の場合は、認証データと共に入力された買い物情報とそれに応じた獲得ポイントを加盟店顧客データベース２１にユーザー１対応に格納する。
【００８６】
加盟店受信端末２０は、買い物情報とそれに応じた獲得ポイントを加盟店顧客データベース２１にユーザー１対応に格納し、ユーザー１にその時の買い物における獲得ポイントを知らせる（内容Ｃ３に示す獲得ポイント）。
【００８７】
ユーザー１に獲得ポイントを知らせる方法としては、加盟店２の加盟店受信端末２０が内蔵している赤外線通信機能を使いユーザー１が携帯しているユーザーユーザー携帯電話端末１０が内蔵している赤外線通信機能と交信し、赤外線通で送信し、ユーザー１の携帯するユーザー携帯電話端末１０のディスプレイに獲得ポイントに対応する通信料金の割り引き金額を表示しユーザー１に知らせる。
【００８８】
ユーザー１は加盟店２で買い物をするたびに買い物額に応じた獲得ポイントが加算され、ユーザー１対応に加盟店顧客データベース２１に蓄積される。
【００８９】
加盟店２は移動体通信電話会社３のユーザー携帯電話端末１０の通信料金の決済時期に合わせ、ユーザー１毎にその月の累計獲得ポイントに見合う額を通信料金の割り引き額として、加盟店サーバ２２から認証データと共に通信料金の割り引き額をインターネット１００を介して、移動体通信電話会社３の移動体通信電話会社サーバ３０に送信し（内容Ｃ５に示すように￥３０００のＣＤを購入したことによる獲得ポイントに見合う通信料金の￥１８０の割り引き額等のその月の累計割り引き額）、移動体通信電話会社３の移動体通信電話会社サーバ３０は、加盟店サーバ２２から送信されてきた認証データと通信料金の割り引き額を受信し、移動体通信電話会社顧客データベース３１に格納する。
【００９０】
移動体通信電話会社３は、ユーザー携帯電話端末１０の通信料金の決済時期に合わせ、ユーザー１毎にその月の獲得ポイントに見合う額を通信料金の割り引き額の累計を計算し、累計獲得ポイントに見合う額を通信料金の割り引き額として計上し、ユーザー携帯電話端末１０の通信料金のその月の合計通信料金から割り引き額を差し引き、ユーザー１に請求する（内容Ｃ７に示すように￥３０００のＣＤを購入したことによる獲得ポイントに見合う通信料金の￥１８０の割り引き額が通信料金のその月の合計通信料金から割り引かれれて請求される）。
【００９１】
前述したように、ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としてユーザー１のユーザー携帯電話端末１０の電話番号とインターネット１００で電子メールとして使用されるＥメールアドレスを加盟店２および移動体通信電話会社３に予め登録することにより、登録されるユーザー認証用のユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行が行われることは勿論、ユーザー１が割り引きサービスに加入することによりユーザー認証用としてのユーザー１のユーザー携帯電話端末１０の電話番号とインターネット１００で電子メールとして使用されるＥメールアドレスが認証データとして、加盟店２の加盟店顧客データベース２１および移動体通信電話会社３の移動体通信電話会社顧客データベース３１に格納されることにより、加盟店２はメールおよびＷＥＢにてユーザー１への情報の提供が可能となる（内容Ｃ４に示すように加盟店顧客データベース２１の販売履歴からメールおよびＷＥＢにて・ユーザーの嗜好にあった新譜・アーティスト情報提供・着メロ等のサービス提供）。また、移動体通信電話会社３もメールおよびＷＥＢにてユーザー１への情報の提供が可能となる（内容Ｃ６に示すように移動体通信電話会社顧客データベース３１の販売履歴からメールおよびＷＥＢにて・着メロ等のサービス提供）。
【００９２】
次に、本発明の第１の実施の形態の動作について、図２を参照して詳細に説明する。
【００９３】
図２は本発明の携帯電話利用における商品購入時の獲得ポイントによる携帯電話料金割り引きビジネスシステムと方法およびプログラムの一実施の形態の動作を示す流れ図である。
【００９４】
ユーザー１は加盟店２で商品を買い（実施の形態として図１の内容を示す内容Ｃ１のように例えば販売価格￥３０００のＣＤを購入する）（ステップ買物開始）、支払い精算のためレジスタ機能付きの加盟店受信端末２０で買い物の支払い精算を行う（ステップＳ１）。
【００９５】
このとき、ユーザー１は通信料金割り引きサービスのユーザー認証用としての認証データのユーザー１のユーザー携帯電話端末１０の電話番号（またはＥメールアドレスでも良い）を加盟店受信端末２０に入力する。この入力手段は、ユーザー１が携帯しているユーザー携帯電話端末１０が内蔵している赤外線通信機能を使い加盟店２の加盟店受信端末２０が内蔵している赤外線通信機能と交信し、加盟店受信端末２０にユーザー１の認証データを送信して認証データを入力する。（内容Ｃ２に示す電話番号またはＥメールアドレス）（ステップＳ２）。
【００９６】
加盟店受信端末２０は、入力された認証データ（電話番号またはＥメールアドレス）を受信すると、加盟店サーバ２２の制御のもとに加盟店顧客データベース２１に入力された認証データをもとに加盟店２の加盟店顧客データベース２１に予め格納されている通信料金割り引きサービスのユーザー１の認証データ（電話番号またはＥメールアドレス）と比較し（ステップＳ３）、ユーザー１の認証を行う（ステップＳ４）。
【００９７】
認証された場合は、認証データと共に入力された買い物情報とそれに応じた獲得ポイントを加盟店顧客データベース２１にユーザー１対応に格納する（ステップＳ５）。
【００９８】
認証されされない場合または通信料金割り引きサービスに未加入の場合は、新規に通信料金割り引きサービスに加入するかの確認した後（ステップＳ６）、加入希望の場合は、認証データと共に入力された買い物情報とそれに応じた獲得ポイントを加盟店顧客データベース２１にユーザー１対応に格納する（ステップＳ５）。
【００９９】
加盟店受信端末２０は、買い物情報とそれに応じた獲得ポイントを加盟店顧客データベース２１にユーザー１対応に格納し（ステップＳ５）、ユーザー１にその時の買い物における獲得ポイントを知らせる（内容Ｃ３に示す獲得ポイント）（ステップＳ７）。
【０１００】
ユーザー１に獲得ポイントを知らせる方法としては、加盟店２の加盟店受信端末２０が内蔵している赤外線通信機能を使いユーザー１が携帯しているユーザーユーザー携帯電話端末１０が内蔵している赤外線通信機能と交信し、赤外線通で送信し、ユーザー１の携帯するユーザー携帯電話端末１０のディスプレイに獲得ポイントに対応する通信料金の割り引き金額を表示しユーザー１に知らせる。
【０１０１】
ユーザー１は加盟店２で買い物をするたびに買い物額に応じた獲得ポイントが加算され、ユーザー１対応に加盟店顧客データベース２１に蓄積される。
【０１０２】
加盟店２は移動体通信電話会社３のユーザー携帯電話端末１０の通信料金の決済時期に合わせ（ステップＳ８）、ユーザー１毎にその月の累計獲得ポイントに見合う額を通信料金の割り引き額として、加盟店サーバ２２から認証データと共に通信料金の割り引き額をインターネット１００を介して、移動体通信電話会社３の移動体通信電話会社サーバ３０に送信し（内容Ｃ５に示すように￥３０００のＣＤを購入したことによる獲得ポイントに見合う通信料金の￥１８０の割り引き額等のその月の累計割り引き額）（ステップＳ９）、移動体通信電話会社３の移動体通信電話会社サーバ３０は、加盟店サーバ２２から送信されてきた認証データと通信料金の割り引き額を受信し、移動体通信電話会社顧客データベース３１に格納する（ステップＳ１０）。
【０１０３】
移動体通信電話会社３は、ユーザー携帯電話端末１０の通信料金の決済時期に合わせ、ユーザー１毎にその月の獲得ポイントに見合う額を通信料金の割り引き額の累計を計算し（ステップＳ１１）、端末１０の通信料金のその月の合計通信料金から割り引き額を差し引き、ユーザー１に請求する（内容Ｃ７に示すように￥３０００のＣＤを購入したことによる獲得ポイントに見合う通信料金の￥１８０の割り引き額が通信料金のその月の合計通信料金から割り引いて請求する）（ステップＳ１２）。
【０１０４】
ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としてユーザー１のユーザー携帯電話端末１０の電話番号とインターネット１００で電子メールとして使用されるＥメールアドレスを加盟店２および移動体通信電話会社３に予め登録することにより、登録されるユーザー認証用のユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行が行われることは勿論、ユーザー１が割り引きサービスに加入することによりユーザー認証用としてのユーザー１のユーザー携帯電話端末１０の電話番号とインターネット１００で電子メールとして使用されるＥメールアドレスが認証データとして、加盟店２の加盟店顧客データベース２１および移動体通信電話会社３の移動体通信電話会社顧客データベース３１に格納されることにより、加盟店２はメールおよびＷＥＢにてユーザー１への情報の提供が可能となる（内容Ｃ４に示すように加盟店顧客データベース２１の販売履歴からメールおよびＷＥＢにて・ユーザーの嗜好にあった新譜・アーティスト情報提供・着メロ等のサービス提供）。また、移動体通信電話会社３もメールおよびＷＥＢにてユーザー１への情報の提供が可能となる（内容Ｃ６に示すように移動体通信電話会社顧客データベース３１の販売履歴からメールおよびＷＥＢにて・着メロ等のサービス提供）。
【０１０５】
次に、本発明の第２の実施の形態について図面を参照して説明する。
【０１０６】
ユーザー１は加盟店２で商品を買い（実施の形態として図１の内容を示す内容Ｃ１のように例えば販売価格￥３０００のＣＤを購入する）、支払い精算のためレジスタ機能付きの加盟店受信端末２０で買い物の支払い精算を行う。
【０１０７】
このとき、ユーザー１は通信料金割り引きサービスのユーザー認証用として認証データのユーザー１のユーザー携帯電話端末１０の電話番号（またはＥメールアドレスでも良い）を加盟店受信端末２０に入力する。この入力手段は、ユーザー１が携帯しているユーザー携帯電話端末１０のディスプレイ部に自分の電話番号（またはＥメールアドレスでも良い）を表示し、加盟店受信端末２０を操作している加盟店２のオペレータに見せ、オペレータが加盟店受信端末２０に手動で入力する。
【０１０８】
加盟店受信端末２０は、入力された認証データ（電話番号またはＥメールアドレス）を受信または加盟店２のオペレータ（レジ係）から入力されると、加盟店サーバ２２の制御のもとに加盟店顧客データベース２１に入力された認証データをもとに加盟店２の加盟店顧客データベース２１に予め格納されている通信料金割り引きサービスのユーザー１の認証データ（電話番号またはＥメールアドレス）と比較しユーザー１の認証を行う。
【０１０９】
認証された場合は、認証データと共に入力された買い物情報とそれに応じた獲得ポイントを加盟店顧客データベース２１にユーザー１対応に格納する。
【０１１０】
認証されされない場合または通信料金割り引きサービスに未加入の場合は、新規に通信料金割り引きサービスに加入するかの確認した後、加入希望の場合は、認証データと共に入力された買い物情報とそれに応じた獲得ポイントを加盟店顧客データベース２１にユーザー１対応に格納する。
【０１１１】
加盟店受信端末２０は、買い物情報とそれに応じた獲得ポイントを加盟店顧客データベース２１にユーザー１対応に格納し、ユーザー１にその時の買い物における獲得ポイントを知らせる（内容Ｃ３に示す獲得ポイント）。
【０１１２】
ユーザー１に獲得ポイントを知らせる方法としては、加盟店２のオペレータ（レジ係）が加盟店受信端末２０で支払い決済時ユーザー１にレシートを印刷して発行するがそのレシートに獲得ポイントに対応する通信料金の割り引き金額を印刷しユーザー１に知らせる。
【０１１３】
ユーザー１は加盟店２で買い物をするたびに買い物額に応じた獲得ポイントが加算され、ユーザー１対応に加盟店顧客データベース２１に蓄積される。
【０１１４】
加盟店２は移動体通信電話会社３のユーザー携帯電話端末１０の通信料金の決済時期に合わせ、ユーザー１毎にその月の累計獲得ポイントに見合う額を通信料金の割り引き額として、加盟店サーバ２２から認証データと共に通信料金の割り引き額をインターネット１００を介して、移動体通信電話会社３の移動体通信電話会社サーバ３０に送信し（内容Ｃ５に示すように￥３０００のＣＤを購入したことによる獲得ポイントに見合う通信料金の￥１８０の割り引き額等のその月の累計割り引き額）、移動体通信電話会社３の移動体通信電話会社サーバ３０は、加盟店サーバ２２から送信されてきた認証データと通信料金の割り引き額を受信し、移動体通信電話会社顧客データベース３１に格納する。
【０１１５】
移動体通信電話会社３は、ユーザー携帯電話端末１０の通信料金の決済時期に合わせ、ユーザー１毎にその月の獲得ポイントに見合う額を通信料金の割り引き額の累計を計算し、累計獲得ポイントに見合う額を通信料金の割り引き額として計上し、ユーザー携帯電話端末１０の通信料金のその月の合計通信料金から割り引き額を差し引き、ユーザー１に請求する（内容Ｃ７に示すように￥３０００のＣＤを購入したことによる獲得ポイントに見合う通信料金の￥１８０の割り引き額が通信料金のその月の合計通信料金から割り引かれれて請求される）。
【０１１６】
前述したように、ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としてユーザー１のユーザー携帯電話端末１０の電話番号とインターネット１００で電子メールとして使用されるＥメールアドレスを加盟店２および移動体通信電話会社３に予め登録することにより、登録されるユーザー認証用のユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行が行われることは勿論、ユーザー１が割り引きサービスに加入することによりユーザー認証用としてのユーザー１のユーザー携帯電話端末１０の電話番号とインターネット１００で電子メールとして使用されるＥメールアドレスが認証データとして、加盟店２の加盟店顧客データベース２１および移動体通信電話会社３の移動体通信電話会社顧客データベース３１に格納されることにより、加盟店２はメールおよびＷＥＢにてユーザー１への情報の提供が可能となる（内容Ｃ４に示すように加盟店顧客データベース２１の販売履歴からメールおよびＷＥＢにて・ユーザーの嗜好にあった新譜・アーティスト情報提供・着メロ等のサービス提供）。また、移動体通信電話会社３もメールおよびＷＥＢにてユーザー１への情報の提供が可能となる（内容Ｃ６に示すように移動体通信電話会社顧客データベース３１の販売履歴からメールおよびＷＥＢにて・着メロ等のサービス提供）。
【０１１７】
次に、本発明の第２の実施の形態の動作について、図２を参照して詳細に説明する。
【０１１８】
ユーザー１は加盟店２で商品を買い（実施の形態として図１の内容を示す内容Ｃ１のように例えば販売価格￥３０００のＣＤを購入する）（ステップ買物開始）、支払い精算のためレジスタ機能付きの加盟店受信端末２０で買い物の支払い精算を行う（ステップＳ１）。
【０１１９】
このとき、ユーザー１は通信料金割り引きサービスのユーザー認証用として認証データのユーザー１のユーザー携帯電話端末１０の電話番号（またはＥメールアドレスでも良い）を加盟店受信端末２０に入力する。この入力手段は、ユーザー１が携帯しているユーザー携帯電話端末１０のディスプレイ部に自分の電話番号（またはＥメールアドレスでも良い）を表示し、加盟店受信端末２０を操作している加盟店２のオペレータに見せ、オペレータが加盟店受信端末２０に手動で入力する（内容Ｃ２に示す電話番号またはＥメールアドレス）（ステップＳ２）。
【０１２０】
加盟店受信端末２０は、入力された認証データ（電話番号またはＥメールアドレス）を受信または加盟店２のオペレータ（レジ係）から入力されると、加盟店サーバ２２の制御のもとに加盟店顧客データベース２１に入力された認証データをもとに加盟店２の加盟店顧客データベース２１に予め格納されている通信料金割り引きサービスのユーザー１の認証データ（電話番号またはＥメールアドレス）と比較し（ステップＳ３）、ユーザー１の認証を行う（ステップＳ４）。
【０１２１】
認証された場合は、認証データと共に入力された買い物情報とそれに応じた獲得ポイントを加盟店顧客データベース２１にユーザー１対応に格納する（ステップＳ５）。
【０１２２】
認証されされない場合または通信料金割り引きサービスに未加入の場合は、新規に通信料金割り引きサービスに加入するかの確認した後（ステップＳ６）、加入希望の場合は、認証データと共に入力された買い物情報とそれに応じた獲得ポイントを加盟店顧客データベース２１にユーザー１対応に格納する（ステップＳ５）。
【０１２３】
加盟店受信端末２０は、買い物情報とそれに応じた獲得ポイントを加盟店顧客データベース２１にユーザー１対応に格納し（ステップＳ５）、ユーザー１にその時の買い物における獲得ポイントを知らせる（内容Ｃ３に示す獲得ポイント）（ステップＳ７）。
【０１２４】
ユーザー１に獲得ポイントを知らせる方法としては、加盟店２のオペレータ（レジ係）が加盟店受信端末２０で支払い決済時ユーザー１にレシートを印刷して発行するがそのレシートに獲得ポイントに対応する通信料金の割り引き金額を印刷しユーザー１に知らせる。
【０１２５】
ユーザー１は加盟店２で買い物をするたびに買い物額に応じた獲得ポイントが加算され、ユーザー１対応に加盟店顧客データベース２１に蓄積される。
【０１２６】
加盟店２は移動体通信電話会社３のユーザー携帯電話端末１０の通信料金の決済時期に合わせ（ステップＳ８）、ユーザー１毎にその月の累計獲得ポイントに見合う額を通信料金の割り引き額として、加盟店サーバ２２から認証データと共に通信料金の割り引き額をインターネット１００を介して、移動体通信電話会社３の移動体通信電話会社サーバ３０に送信し（内容Ｃ５に示すように￥３０００のＣＤを購入したことによる獲得ポイントに見合う通信料金の￥１８０の割り引き額等のその月の累計割り引き額）（ステップＳ９）、移動体通信電話会社３の移動体通信電話会社サーバ３０は、加盟店サーバ２２から送信されてきた認証データと通信料金の割り引き額を受信し、移動体通信電話会社顧客データベース３１に格納する（ステップＳ１０）。
【０１２７】
移動体通信電話会社３は、ユーザー携帯電話端末１０の通信料金の決済時期に合わせ、ユーザー１毎にその月の獲得ポイントに見合う額を通信料金の割り引き額の累計を計算し（ステップＳ１１）、端末１０の通信料金のその月の合計通信料金から割り引き額を差し引き、ユーザー１に請求する（内容Ｃ７に示すように￥３０００のＣＤを購入したことによる獲得ポイントに見合う通信料金の￥１８０の割り引き額が通信料金のその月の合計通信料金から割り引いて請求する）（ステップＳ１２）。
【０１２８】
ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としてユーザー１のユーザー携帯電話端末１０の電話番号とインターネット１００で電子メールとして使用されるＥメールアドレスを加盟店２および移動体通信電話会社３に予め登録することにより、登録されるユーザー認証用のユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行が行われることは勿論、ユーザー１が割り引きサービスに加入することによりユーザー認証用としてのユーザー１のユーザー携帯電話端末１０の電話番号とインターネット１００で電子メールとして使用されるＥメールアドレスが認証データとして、加盟店２の加盟店顧客データベース２１および移動体通信電話会社３の移動体通信電話会社顧客データベース３１に格納されることにより、加盟店２はメールおよびＷＥＢにてユーザー１への情報の提供が可能となる（内容Ｃ４に示すように加盟店顧客データベース２１の販売履歴からメールおよびＷＥＢにて・ユーザーの嗜好にあった新譜・アーティスト情報提供・着メロ等のサービス提供）。また、移動体通信電話会社３もメールおよびＷＥＢにてユーザー１への情報の提供が可能となる（内容Ｃ６に示すように移動体通信電話会社顧客データベース３１の販売履歴からメールおよびＷＥＢにて・着メロ等のサービス提供）。
【０１２９】
次に、本発明の第３の実施の形態について図面を参照して説明する。
【０１３０】
ユーザー１は加盟店２で商品を買い（実施の形態として図１の内容を示す内容Ｃ１のように例えば販売価格￥３０００のＣＤを購入する）、支払い精算のためレジスタ機能付きの加盟店受信端末２０で買い物の支払い精算を行う。
【０１３１】
このとき、ユーザー１は通信料金割り引きサービスのユーザー認証用として認証データを加盟店受信端末２０に入力する。この入力手段は、ユーザー１が携帯しているユーザー携帯電話端末１０が内蔵している赤外線通信機能を使い加盟店２の加盟店受信端末２０が内蔵している赤外線通信機能と交信し、加盟店受信端末２０にユーザー１の認証データを送信して入力する。
【０１３２】
加盟店受信端末２０は、入力された認証データを受信すると、加盟店サーバ２２の制御のもとに加盟店顧客データベース２１に入力された認証データをもとに加盟店２の加盟店顧客データベース２１に予め格納されている通信料金割り引きサービスのユーザー１の認証データと比較しユーザー１の認証を行う。
【０１３３】
認証された場合は、認証データと共に入力された買い物情報とそれに応じた獲得ポイントを加盟店顧客データベース２１にユーザー１対応に格納する。
【０１３４】
認証されされない場合または通信料金割り引きサービスに未加入の場合は、新規に通信料金割り引きサービスに加入するかの確認した後、加入希望の場合は、認証データと共に入力された買い物情報とそれに応じた獲得ポイントを加盟店顧客データベース２１にユーザー１対応に格納する。
【０１３５】
加盟店受信端末２０は、買い物情報とそれに応じた獲得ポイントを加盟店顧客データベース２１にユーザー１対応に格納し、ユーザー１にその時の買い物における獲得ポイントを知らせる（内容Ｃ３に示す獲得ポイント）。
【０１３６】
ユーザー１に獲得ポイントを知らせる方法としては、加盟店２の加盟店受信端末２０が内蔵している赤外線通信機能を使いユーザー１が携帯しているユーザーユーザー携帯電話端末１０が内蔵している赤外線通信機能と交信し、赤外線通で送信し、ユーザー１の携帯するユーザー携帯電話端末１０のディスプレイに獲得ポイントに対応する通信料金の割り引き金額を表示しユーザー１に知らせる。
【０１３７】
ユーザー１は加盟店２で買い物をするたびに買い物額に応じた獲得ポイントが加算され、ユーザー１対応に加盟店顧客データベース２１に蓄積される。
【０１３８】
加盟店２はユーザー１が買い物する都度ユーザー１毎の獲得ポイントに見合う額を通信料金の割り引き額として、加盟店サーバ２２から認証データと共に通信料金の割り引き額をインターネット１００を介して、移動体通信電話会社３の移動体通信電話会社サーバ３０に送信し（内容Ｃ５に示すように￥３０００のＣＤを購入したことによる獲得ポイントに見合う通信料金の￥１８０の割り引き額）、移動体通信電話会社３の移動体通信電話会社サーバ３０は、加盟店サーバ２２から送信されてきた認証データと通信料金の割り引き額を受信し、移動体通信電話会社顧客データベース３１に格納する。
【０１３９】
移動体通信電話会社３は、ユーザー携帯電話端末１０の通信料金の決済時期に合わせ、ユーザー１毎にその月の獲得ポイントに見合う額を通信料金の割り引き額の累計を計算し、累計獲得ポイントに見合う額を通信料金の割り引き額として計上し、ユーザー携帯電話端末１０の通信料金のその月の合計通信料金から割り引き額を差し引き、ユーザー１に請求する（内容Ｃ７に示すように￥３０００のＣＤを購入したことによる獲得ポイントに見合う通信料金の￥１８０の割り引き額が通信料金のその月の合計通信料金から割り引かれれて請求される）。
【０１４０】
前述したように、ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としてユーザー１のユーザー携帯電話端末１０の電話番号とインターネット１００で電子メールとして使用されるＥメールアドレスを加盟店２および移動体通信電話会社３に予め登録することにより、登録されるユーザー認証用のユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行が行われることは勿論、ユーザー１が割り引きサービスに加入することによりユーザー認証用としてのユーザー１のユーザー携帯電話端末１０の電話番号とインターネット１００で電子メールとして使用されるＥメールアドレスが認証データとして、加盟店２の加盟店顧客データベース２１および移動体通信電話会社３の移動体通信電話会社顧客データベース３１に格納されることにより、加盟店２はメールおよびＷＥＢにてユーザー１への情報の提供が可能となる（内容Ｃ４に示すように加盟店顧客データベース２１の販売履歴からメールおよびＷＥＢにて・ユーザーの嗜好にあった新譜・アーティスト情報提供・着メロ等のサービス提供）。また、移動体通信電話会社３もメールおよびＷＥＢにてユーザー１への情報の提供が可能となる（内容Ｃ６に示すように移動体通信電話会社顧客データベース３１の販売履歴からメールおよびＷＥＢにて・着メロ等のサービス提供）。
【０１４１】
次に、本発明の第３の実施の形態の動作について、図２を参照して詳細に説明する。
【０１４２】
ユーザー１は加盟店２で商品を買い（実施の形態として図１の内容を示す内容Ｃ１のように例えば販売価格￥３０００のＣＤを購入する）（ステップ買物開始）、支払い精算のためレジスタ機能付きの加盟店受信端末２０で買い物の支払い精算を行う（ステップＳ１）。
【０１４３】
このとき、ユーザー１は通信料金割り引きサービスのユーザー認証用としての認証データのユーザー１のユーザー携帯電話端末１０の電話番号（またはＥメールアドレスでも良い）を加盟店受信端末２０に入力する。この入力手段は、ユーザー１が携帯しているユーザー携帯電話端末１０が内蔵している赤外線通信機能を使い加盟店２の加盟店受信端末２０が内蔵している赤外線通信機能と交信し、加盟店受信端末２０にユーザー１の認証データを送信して認証データを入力する。（内容Ｃ２に示す電話番号またはＥメールアドレス）（ステップＳ２）。
【０１４４】
加盟店受信端末２０は、入力された認証データ（電話番号またはＥメールアドレス）を受信すると、加盟店サーバ２２の制御のもとに加盟店顧客データベース２１に入力された認証データをもとに加盟店２の加盟店顧客データベース２１に予め格納されている通信料金割り引きサービスのユーザー１の認証データ（電話番号またはＥメールアドレス）と比較し（ステップＳ３）、ユーザー１の認証を行う（ステップＳ４）。
【０１４５】
認証された場合は、認証データと共に入力された買い物情報とそれに応じた獲得ポイントを加盟店顧客データベース２１にユーザー１対応に格納する（ステップＳ５）。
【０１４６】
認証されされない場合または通信料金割り引きサービスに未加入の場合は、新規に通信料金割り引きサービスに加入するかの確認した後（ステップＳ６）、加入希望の場合は、認証データと共に入力された買い物情報とそれに応じた獲得ポイントを加盟店顧客データベース２１にユーザー１対応に格納する（ステップＳ５）。
【０１４７】
加盟店受信端末２０は、買い物情報とそれに応じた獲得ポイントを加盟店顧客データベース２１にユーザー１対応に格納し（ステップＳ５）、ユーザー１にその時の買い物における獲得ポイントを知らせる（内容Ｃ３に示す獲得ポイント）（ステップＳ７）。
【０１４８】
ユーザー１に獲得ポイントを知らせる方法としては、加盟店２の加盟店受信端末２０が内蔵している赤外線通信機能を使いユーザー１が携帯しているユーザーユーザー携帯電話端末１０が内蔵している赤外線通信機能と交信し、赤外線通で送信し、ユーザー１の携帯するユーザー携帯電話端末１０のディスプレイに獲得ポイントに対応する通信料金の割り引き金額を表示しユーザー１に知らせる。
【０１４９】
ユーザー１は加盟店２で買い物をするたびに買い物額に応じた獲得ポイントが加算され、ユーザー１対応に加盟店顧客データベース２１に蓄積される。
【０１５０】
加盟店２はユーザー１が買い物をするたびに、ユーザー１毎に獲得ポイントに見合う額を通信料金の割り引き額として、加盟店サーバ２２から認証データと共に通信料金の割り引き額をインターネット１００を介して、移動体通信電話会社３の移動体通信電話会社サーバ３０に送信し（内容Ｃ５に示すように￥３０００のＣＤを購入したことによる獲得ポイントに見合う通信料金の￥１８０の割り引き額）（ステップＳ９）、移動体通信電話会社３の移動体通信電話会社サーバ３０は、加盟店サーバ２２から送信されてきた認証データと通信料金の割り引き額を受信し、移動体通信電話会社顧客データベース３１に格納する（ステップＳ１０）。
【０１５１】
移動体通信電話会社３は、ユーザー携帯電話端末１０の通信料金の決済時期に合わせ、ユーザー１毎にその月の獲得ポイントに見合う額を通信料金の割り引き額の累計を計算し（ステップＳ１１）、端末１０の通信料金のその月の合計通信料金から割り引き額を差し引き、ユーザー１に請求する（内容Ｃ７に示すように￥３０００のＣＤを購入したことによる獲得ポイントに見合う通信料金の￥１８０の割り引き額が通信料金のその月の合計通信料金から割り引いて請求する）（ステップＳ１２）。
【０１５２】
ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としてユーザー１のユーザー携帯電話端末１０の電話番号とインターネット１００で電子メールとして使用されるＥメールアドレスを加盟店２および移動体通信電話会社３に予め登録することにより、登録されるユーザー認証用のユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行が行われることは勿論、ユーザー１が割り引きサービスに加入することによりユーザー認証用としてのユーザー１のユーザー携帯電話端末１０の電話番号とインターネット１００で電子メールとして使用されるＥメールアドレスが認証データとして、加盟店２の加盟店顧客データベース２１および移動体通信電話会社３の移動体通信電話会社顧客データベース３１に格納されることにより、加盟店２はメールおよびＷＥＢにてユーザー１への情報の提供が可能となる（内容Ｃ４に示すように加盟店顧客データベース２１の販売履歴からメールおよびＷＥＢにて・ユーザーの嗜好にあった新譜・アーティスト情報提供・着メロ等のサービス提供）。また、移動体通信電話会社３もメールおよびＷＥＢにてユーザー１への情報の提供が可能となる（内容Ｃ６に示すように移動体通信電話会社顧客データベース３１の販売履歴からメールおよびＷＥＢにて・着メロ等のサービス提供）。
【０１５３】
次に、本発明の第４の実施の形態について図面を参照して説明する。
【０１５４】
ユーザー１は加盟店２で商品を買い（実施の形態として図１の内容を示す内容Ｃ１のように例えば販売価格￥３０００のＣＤを購入する）、支払い精算のためレジスタ機能付きの加盟店受信端末２０で買い物の支払い精算を行う。
【０１５５】
このとき、ユーザー１は通信料金割り引きサービスのユーザー認証用として認証データのユーザー１のユーザー携帯電話端末１０の電話番号（またはＥメールアドレスでも良い）を加盟店受信端末２０に入力する。この入力手段は、ユーザー１が携帯しているユーザー携帯電話端末１０のディスプレイ部に自分の電話番号（またはＥメールアドレスでも良い）を表示し、加盟店受信端末２０を操作している加盟店２のオペレータに見せ、オペレータが加盟店受信端末２０に手動で入力する。
【０１５６】
加盟店受信端末２０は、入力された認証データ（電話番号またはＥメールアドレス）を受信または加盟店２のオペレータ（レジ係）から入力されると、加盟店サーバ２２の制御のもとに加盟店顧客データベース２１に入力された認証データをもとに加盟店２の加盟店顧客データベース２１に予め格納されている通信料金割り引きサービスのユーザー１の認証データ（電話番号またはＥメールアドレス）と比較しユーザー１の認証を行う。
【０１５７】
認証された場合は、認証データと共に入力された買い物情報とそれに応じた獲得ポイントを加盟店顧客データベース２１にユーザー１対応に格納する。
【０１５８】
認証されされない場合または通信料金割り引きサービスに未加入の場合は、新規に通信料金割り引きサービスに加入するかの確認した後、加入希望の場合は、認証データと共に入力された買い物情報とそれに応じた獲得ポイントを加盟店顧客データベース２１にユーザー１対応に格納する。
【０１５９】
加盟店受信端末２０は、買い物情報とそれに応じた獲得ポイントを加盟店顧客データベース２１にユーザー１対応に格納し、ユーザー１にその時の買い物における獲得ポイントを知らせる（内容Ｃ３に示す獲得ポイント）。
【０１６０】
ユーザー１に獲得ポイントを知らせる方法としては、加盟店２のオペレータ（レジ係）が加盟店受信端末２０で支払い決済時ユーザー１にレシートを印刷して発行するがそのレシートに獲得ポイントに対応する通信料金の割り引き金額を印刷しユーザー１に知らせる。
【０１６１】
ユーザー１は加盟店２で買い物をするたびに買い物額に応じた獲得ポイントが加算され、ユーザー１対応に加盟店顧客データベース２１に蓄積される。
【０１６２】
加盟店２はユーザー１が買い物する都度ユーザー１毎の獲得ポイントに見合う額を通信料金の割り引き額として、加盟店サーバ２２から認証データと共に通信料金の割り引き額をインターネット１００を介して、移動体通信電話会社３の移動体通信電話会社サーバ３０に送信し（内容Ｃ５に示すように￥３０００のＣＤを購入したことによる獲得ポイントに見合う通信料金の￥１８０の割り引き額）、移動体通信電話会社３の移動体通信電話会社サーバ３０は、加盟店サーバ２２から送信されてきた認証データと通信料金の割り引き額を受信し、移動体通信電話会社顧客データベース３１に格納する。
【０１６３】
移動体通信電話会社３は、ユーザー携帯電話端末１０の通信料金の決済時期に合わせ、ユーザー１毎にその月の獲得ポイントに見合う額を通信料金の割り引き額の累計を計算し、累計獲得ポイントに見合う額を通信料金の割り引き額として計上し、ユーザー携帯電話端末１０の通信料金のその月の合計通信料金から割り引き額を差し引き、ユーザー１に請求する（内容Ｃ７に示すように￥３０００のＣＤを購入したことによる獲得ポイントに見合う通信料金の￥１８０の割り引き額が通信料金のその月の合計通信料金から割り引かれれて請求される）。
【０１６４】
前述したように、ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としてユーザー１のユーザー携帯電話端末１０の電話番号とインターネット１００で電子メールとして使用されるＥメールアドレスを加盟店２および移動体通信電話会社３に予め登録することにより、登録されるユーザー認証用のユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行が行われることは勿論、ユーザー１が割り引きサービスに加入することによりユーザー認証用としてのユーザー１のユーザー携帯電話端末１０の電話番号とインターネット１００で電子メールとして使用されるＥメールアドレスが認証データとして、加盟店２の加盟店顧客データベース２１および移動体通信電話会社３の移動体通信電話会社顧客データベース３１に格納されることにより、加盟店２はメールおよびＷＥＢにてユーザー１への情報の提供が可能となる（内容Ｃ４に示すように加盟店顧客データベース２１の販売履歴からメールおよびＷＥＢにて・ユーザーの嗜好にあった新譜・アーティスト情報提供・着メロ等のサービス提供）。また、移動体通信電話会社３もメールおよびＷＥＢにてユーザー１への情報の提供が可能となる（内容Ｃ６に示すように移動体通信電話会社顧客データベース３１の販売履歴からメールおよびＷＥＢにて・着メロ等のサービス提供）。
【０１６５】
次に、本発明の第４の実施の形態の動作について、図２を参照して詳細に説明する。
【０１６６】
ユーザー１は加盟店２で商品を買い（実施の形態として図１の内容を示す内容Ｃ１のように例えば販売価格￥３０００のＣＤを購入する）（ステップ買物開始）、支払い精算のためレジスタ機能付きの加盟店受信端末２０で買い物の支払い精算を行う（ステップＳ１）。
【０１６７】
このとき、ユーザー１は通信料金割り引きサービスのユーザー認証用として認証データのユーザー１のユーザー携帯電話端末１０の電話番号（またはＥメールアドレスでも良い）を加盟店受信端末２０に入力する。この入力手段は、ユーザー１が携帯しているユーザー携帯電話端末１０のディスプレイ部に自分の電話番号（またはＥメールアドレスでも良い）を表示し、加盟店受信端末２０を操作している加盟店２のオペレータに見せ、オペレータが加盟店受信端末２０に手動で入力する（内容Ｃ２に示す電話番号またはＥメールアドレス）（ステップＳ２）。
【０１６８】
加盟店受信端末２０は、入力された認証データ（電話番号またはＥメールアドレス）を受信または加盟店２のオペレータ（レジ係）から入力されると、加盟店サーバ２２の制御のもとに加盟店顧客データベース２１に入力された認証データをもとに加盟店２の加盟店顧客データベース２１に予め格納されている通信料金割り引きサービスのユーザー１の認証データ（電話番号またはＥメールアドレス）と比較し（ステップＳ３）、ユーザー１の認証を行う（ステップＳ４）。
【０１６９】
認証された場合は、認証データと共に入力された買い物情報とそれに応じた獲得ポイントを加盟店顧客データベース２１にユーザー１対応に格納する（ステップＳ５）。
【０１７０】
認証されされない場合または通信料金割り引きサービスに未加入の場合は、新規に通信料金割り引きサービスに加入するかの確認した後（ステップＳ６）、加入希望の場合は、認証データと共に入力された買い物情報とそれに応じた獲得ポイントを加盟店顧客データベース２１にユーザー１対応に格納する（ステップＳ５）。
【０１７１】
加盟店受信端末２０は、買い物情報とそれに応じた獲得ポイントを加盟店顧客データベース２１にユーザー１対応に格納し（ステップＳ５）、ユーザー１にその時の買い物における獲得ポイントを知らせる（内容Ｃ３に示す獲得ポイント）（ステップＳ７）。
【０１７２】
ユーザー１に獲得ポイントを知らせる方法としては、加盟店２のオペレータ（レジ係）が加盟店受信端末２０で支払い決済時ユーザー１にレシートを印刷して発行するがそのレシートに獲得ポイントに対応する通信料金の割り引き金額を印刷しユーザー１に知らせる。
【０１７３】
ユーザー１は加盟店２で買い物をするたびに買い物額に応じた獲得ポイントが加算され、ユーザー１対応に加盟店顧客データベース２１に蓄積される。
【０１７４】
加盟店２はユーザー１が買い物をするたびに、ユーザー１毎に獲得ポイントに見合う額を通信料金の割り引き額として、加盟店サーバ２２から認証データと共に通信料金の割り引き額をインターネット１００を介して、移動体通信電話会社３の移動体通信電話会社サーバ３０に送信し（内容Ｃ５に示すように￥３０００のＣＤを購入したことによる獲得ポイントに見合う通信料金の￥１８０の割り引き額）（ステップＳ９）、移動体通信電話会社３の移動体通信電話会社サーバ３０は、加盟店サーバ２２から送信されてきた認証データと通信料金の割り引き額を受信し、移動体通信電話会社顧客データベース３１に格納する（ステップＳ１０）。
【０１７５】
移動体通信電話会社３は、ユーザー携帯電話端末１０の通信料金の決済時期に合わせ、ユーザー１毎にその月の獲得ポイントに見合う額を通信料金の割り引き額の累計を計算し（ステップＳ１１）、端末１０の通信料金のその月の合計通信料金から割り引き額を差し引き、ユーザー１に請求する（内容Ｃ７に示すように￥３０００のＣＤを購入したことによる獲得ポイントに見合う通信料金の￥１８０の割り引き額が通信料金のその月の合計通信料金から割り引いて請求する）（ステップＳ１２）。
【０１７６】
ユーザー１はユーザー携帯電話端末１０の通話にかかった通信料金から差し引く割り引きサービスを行うにあたり、加盟店２および移動体通信電話会社３と、契約し、通信料金割り引きサービスのユーザー認証用としてユーザー１のユーザー携帯電話端末１０の電話番号とインターネット１００で電子メールとして使用されるＥメールアドレスを加盟店２および移動体通信電話会社３に予め登録することにより、登録されるユーザー認証用のユーザー１のユーザー携帯電話端末１０の電話番号とインターネット１００で電子メールとして使用されるＥメールアドレスは、加盟店２の加盟店サーバ２２の制御のもとに加盟店顧客データベース２１および移動体通信電話会社３の移動体通信電話会社サーバ３０の制御のもとに移動体通信電話会社顧客データベース３１に格納され、サービス時のユーザー１認証、獲得ポイントの検索、累積、集計、割り引きサービス実行が行われることは勿論、ユーザー１が割り引きサービスに加入することによりユーザー認証用としてのユーザー１のユーザー携帯電話端末１０の電話番号とインターネット１００で電子メールとして使用されるＥメールアドレスが認証データとして、加盟店２の加盟店顧客データベース２１および移動体通信電話会社３の移動体通信電話会社顧客データベース３１に格納されることにより、加盟店２はメールおよびＷＥＢにてユーザー１への情報の提供が可能となる（内容Ｃ４に示すように加盟店顧客データベース２１の販売履歴からメールおよびＷＥＢにて・ユーザーの嗜好にあった新譜・アーティスト情報提供・着メロ等のサービス提供）。また、移動体通信電話会社３もメールおよびＷＥＢにてユーザー１への情報の提供が可能となる（内容Ｃ６に示すように移動体通信電話会社顧客データベース３１の販売履歴からメールおよびＷＥＢにて・着メロ等のサービス提供）。
【図面の簡単な説明】
【０１７７】
【図１】本発明の携帯電話利用における商品購入時の獲得ポイントによる携帯電話料金割り引きビジネスシステムと方法およびプログラムの一実施の形態を示すブロック図である。
【図２】本発明の携帯電話利用における商品購入時の獲得ポイントによる携帯電話料金割り引きビジネスシステムと方法およびプログラムの一実施の形態の動作を示す流れ図である。
【図３】従来の商品購入時の獲得ポイントによる割り引きビジネスシステムを示すブロック図である。
【符号の説明】
【０１７８】
１    ユーザー
２    加盟店
３    移動体通信電話会社
１０    ユーザー携帯電話端末
２０    加盟店受信端末
２１    加盟店顧客データベース
２２    加盟店サーバ
３０    移動体通信電話会社サーバ
３１    移動体通信電話会社顧客データベース
１００    インターネット
【図１】
2005050154.tif 000003
【図２】
2005050154.tif 000004
【図３】
2005050154.tif 000005